(57)【要約】【課題】身体拘束に該当せず、気軽に使用することができる弄便防止衣を提供する。【解決手段】本考案に係る弄便防止衣１は、展開状態において矩形状のシートで構成され、両側縁に設けられるファスナ３を閉じると、着用者の胴体部及び大腿部を包むことができる大きさの筒状になる本体部２を備える。この構成により、本考案に係る弄便防止衣１は、身体拘束衣に該当せず、着用者に与えるストレスを最小限に抑えることができるとともに、身体拘束衣に該当しないため、使用につき承認が不要となり、気軽に使用することができ、介護者の負担を軽減することができる。【選択図】図１
0003225903.tif 000002
【実用新案登録請求の範囲】
【請求項１】
展開状態において矩形状のシートで構成され、両側縁に設けられるファスナを閉じると、着用者の胴体部及び大腿部を包むことができる大きさの筒状になる本体部を備える
弄便防止衣。
【請求項２】
シートの幅方向中央部に着用者の後側が位置し、着用者の前側にファスナが位置するように筒状にされる
請求項１に記載の弄便防止衣。
【請求項３】
ファスナは、
一方のエレメントをスライドするスライダに他方のエレメントの端部のピンを係入してファスナを閉じるオープンタイプのファスナであり、
ピンが本体部の上側となるように設けられることにより、上側から下側に向かって閉操作され、下側から上側に向かって開操作される
請求項１又は請求項２に記載の弄便防止衣。
【請求項４】
本体部の上端部に取り付けられる肩掛け部をさらに備え、
肩掛け部は、本体部の上端部の後側部分から延びる後側長尺部と、本体部の上端部の前側部分から伸びる前側長尺部とを備え、
後側長尺部又は前側長尺部のいずれか一方は、着用者の肩に掛けられる長さを有して帯状に形成され、
後側長尺部又は前側長尺部のいずれか他方は、後側長尺部又は前側長尺部のいずれか一方と長さ調整可能に連結される
請求項１ないし請求項３のいずれか１項に記載の弄便防止衣。
【請求項５】
後側長尺部又は前側長尺部のいずれか他方は、一部又は全部に伸縮性を有する
請求項４に記載の弄便防止衣。
【考案の詳細な説明】
【技術分野】
【０００１】
本考案は、弄便防止衣に関する。
【背景技術】
【０００２】
弄便（ろうべん）とは、自分が排泄した便を触ったり、手に付いた便を自分の衣類や寝具、壁になすり付ける行為のことをいう。認知症患者に見られることが多い症状である。弄便は、介護者に大きなストレスを与えるため、介護者の負担軽減を目的として、特許文献１に示される弄便防止衣が提供された。この弄便防止衣は、上肢部分が延びて手までを覆うつなぎ服の形態であり、着用者が便を触れないようにしたものである。
【先行技術文献】
【特許文献】
【０００３】
【特許文献１】実開平２−１０４１３号のマイクロフィルム
【考案の概要】
【考案が解決しようとする課題】
【０００４】
しかしながら、この種の弄便防止衣は、一時的に着用者の身体を拘束し、着用者の運動を抑制する、いわゆる身体拘束衣に当たる。平成１３年に厚生労働省が「身体拘束ゼロへの手引き」を公表したことに伴い、この種の弄便防止衣は、自治体等の担当局から承認を得ないと、使用することができなくなった。
【０００５】
そこで、本考案は、かかる事情に鑑みてなされたもので、身体拘束衣に該当せず、気軽に使用することができる弄便防止衣を提供することを課題とする。
【課題を解決するための手段】
【０００６】
本考案に係る弄便防止衣は、
展開状態において矩形状のシートで構成され、両側縁に設けられるファスナを閉じると、着用者の胴体部及び大腿部を包むことができる大きさの筒状になる本体部を備える
弄便防止衣である。
【０００７】
ここで、本考案に係る弄便防止衣の一態様として、
シートの幅方向中央部に着用者の後側が位置し、着用者の前側にファスナが位置するように筒状にされる
との構成を採用することができる。
【０００８】
また、本考案に係る弄便防止衣の他態様として、
ファスナは、
一方のエレメントをスライドするスライダに他方のエレメントの端部のピンを係入してファスナを閉じるオープンタイプのファスナであり、
ピンが本体部の上側となるように設けられることにより、上側から下側に向かって閉操作され、下側から上側に向かって開操作される
との構成を採用することができる。
【０００９】
また、本考案に係る弄便防止衣の別の態様として、
本体部の上端部に取り付けられる肩掛け部をさらに備え、
肩掛け部は、本体部の上端部の後側部分から延びる後側長尺部と、本体部の上端部の前側部分から伸びる前側長尺部とを備え、
後側長尺部又は前側長尺部のいずれか一方は、着用者の肩に掛けられる長さを有して帯状に形成され、
後側長尺部又は前側長尺部のいずれか他方は、後側長尺部又は前側長尺部のいずれか一方と長さ調整可能に連結される
との構成を採用することができる。
【００１０】
この場合、
後側長尺部又は前側長尺部のいずれか他方は、一部又は全部に伸縮性を有する
との構成を採用することができる。
【考案の効果】
【００１１】
以上の如く、本考案に係る弄便防止衣によれば、着用者が手を臀部や股間に入れようとする行為は、本体部により阻止され、着用者は、自分が排泄した便を触ることができない。これにより、弄便を防止することができる。そして、本考案に係る弄便防止衣によれば、着用者の胴体部及び大腿部に巻くだけの構成である。このため、身体拘束衣に該当せず、着用者に与えるストレスを最小限に抑えることができる。また、本考案に係る弄便防止衣によれば、身体拘束衣に該当しないため、使用につき承認が不要となる。このため、気軽に使用することができ、介護者の負担を軽減することができる。
【図面の簡単な説明】
【００１２】
【図１】図１は、本考案の一実施形態に係る弄便防止衣の正面図である。
【図２】図２は、同弄便防止衣の展開図である。
【図３】図３（ａ）は、同弄便防止衣のファスナの上端部の拡大図である。図３（ｂ）は、同ファスナの下端部の拡大図である。
【図４】図４は、同弄便防止衣の肩掛け部の拡大図である。
【図５】図５（ａ）は、同弄便防止衣を車いす上で着用する場合の説明図である。図５（ｂ）は、同弄便防止衣を寝具上で着用する場合の説明図である。
【考案を実施するための形態】
【００１３】
以下、本考案に係る弄便防止衣の一実施形態について、図１ないし図５を参酌して説明する。
【００１４】
図１及び図２に示すように、本実施形態に係る弄便防止衣１は、本体部２と、肩掛け部４とを備える。本体部２は、展開状態において矩形状のシートで構成され、両側縁に設けられるファスナ３を閉じると、着用者の胴体部及び大腿部を包むことができる大きさの筒状になる。肩掛け部４は、本体部２の上端部に取り付けられ、着用者に対して本体部２を適切な位置に固定する。
【００１５】
本体部２のシートは、布、プラスチックシート、不織布等、多少の力では破れない強度を有するものが用いられる。また、本体部２のシートは、着用者や介護者に不快感を与えないよう、カサカサといった雑音が生じないものが用いられる。
【００１６】
本体部２は、シートの幅方向中央部に着用者の後側が位置し、着用者の前側にファスナ３が位置するように筒状にされる。これにより、着用者の前側において、ファスナが開閉操作される。
【００１７】
図３に示すように、ファスナ３は、一方のエレメント３ａをスライドするスライダ３ｃに他方のエレメント３ｂの端部のピン（蝶棒）３ｄを係入してファスナ３を閉じるオープンタイプのファスナである。ファスナ３は、本体部２の両側縁の上端から下端の全長に亘って設けられる。ファスナ３は、ピン３ｄ及びボックス（箱）３ｅが本体部２の上側となるように設けられる。これにより、ファスナ３は、本体部２の上側から下側に向かって閉操作され、本体部２の下側から上側に向かって開操作される。したがって、着用者が弄便防止衣１を着用した状態において、ファスナ３の開閉操作手段としてのスライダ３ｃは、本体部２の下端部に位置する。
【００１８】
図４に示すように、肩掛け部４は、本体部２の上端部の後側部分から延びる後側長尺部５と、本体部２の上端部の前側部分から伸びる前側長尺部７とを備える。
【００１９】
後側長尺部５は、着用者の肩に掛けられる長さを有して帯状に形成される。後側長尺部５の先端部には、留め具６が設けられる。本実施形態においては、留め具６は、リボンの形態を有し、中央部にて後側長尺部５の先端部に取り付けられたものである。
【００２０】
前側長尺部７は、後側長尺部５と長さ調整可能に連結される。より詳しくは、前側長尺部７は、本体部２の上端部の前側部分から延びる帯状に形成される基部８と、基部８の先端部から延びる掛止部９とを備える。掛止部９は、後側長尺部５の留め具６を掛止する箇所を長手方向に複数有する。これにより、前側長尺部７は、後側長尺部５と長さ調整可能に連結される。本実施形態においては、掛止部９は、伸縮性を有するゴム紐で構成される。２本のゴム紐（あるいは１本のゴム紐を半切して２本となるゴム紐）の適宜の箇所９ａ，…が接続されることにより、複数の掛止箇所（穴）９ｂ，…が形成される。
【００２１】
本実施形態に係る弄便防止衣１は、以上の構成からなる。着用するときは、たとえば、展開された状態の弄便防止衣１を車いすの上に掛け、この上に着用者を着座させた後、ファスナ３を閉じる（図５（ａ）参照）。あるいは、展開された状態の弄便防止衣１を寝具（布団やベット）の上に敷き、この上に着用者を寝かせた後、ファスナ３を閉じる（図５（ｂ）参照）。
【００２２】
このように、本実施形態に係る弄便防止衣１によれば、着用者が手を臀部や股間に入れようとする行為は、着用者の胴体部及び大腿部に巻かれた本体部２により阻止され、着用者は、自分が排泄した便を触ることができない。これにより、弄便を防止することができる。
【００２３】
そして、本実施形態に係る弄便防止衣１によれば、着用者の胴体部及び大腿部に巻くだけの構成であり、上肢は自由に動かすことができる。このため、身体拘束衣に該当せず、着用者に与えるストレスを最小限に抑えることができる。
【００２４】
また、本実施形態に係る弄便防止衣１によれば、身体拘束衣に該当しないため、使用につき承認が不要となる。このため、気軽に使用することができ、介護者の負担を軽減することができる。
【００２５】
また、本実施形態に係る弄便防止衣１によれば、着用者の前側にファスナが位置する。このため、介護者は、弄便防止衣１を楽に着脱させることができる。
【００２６】
また、本実施形態に係る弄便防止衣１によれば、着用者は、服を着たままにして弄便防止衣１を着用することができる。このため、着用者が弄便防止衣１を着用することに対する抵抗感をなくすことができるとともに、介護者が弄便防止衣１の着脱を楽に行うことができる。
【００２７】
また、本実施形態に係る弄便防止衣１によれば、着用状態において、ファスナ３のスライダ３ｃは、本体部２の下端部、すなわち、着用者の手が届かないところに位置する。このため、着用者が不用意にファスナ３を開操作して弄便しようとするのを効果的に防止することができる。
【００２８】
また、本実施形態に係る弄便防止衣１によれば、着用者の肩には、肩掛け部４の帯状部（後側長尺部５）が掛かる。帯状部ということで、ある程度の幅があるため、肩掛け部４が肩に食い込むという事態が発生するのを防止することができ、着用者に対する不快感を解消することができる。
【００２９】
なお、本考案に係る弄便防止衣は、上記実施形態に限定されるものではなく、本考案の要旨を逸脱しない範囲で種々の変更が可能である。
【００３０】
たとえば、ファスナ３は、本体部２の両側縁の上端から下端の全長に亘って設けられることは必須ではない。
【００３１】
また、肩掛け部４の長さ調整手段は、上記したものに限定されず、公知となっている各種の長さ調整手段を用いることができる。
【符号の説明】
【００３２】
１…弄便防止衣、２…本体部、３…ファスナ、３ａ…一方のエレメント、３ｂ…他方のエレメント、３ｃ…スライダ、３ｄ…ピン、４…肩掛け部、５…後側長尺部、６…留め具、７…前側長尺部、８…基部、９…掛止部
【図１】
0003225903.tif 000003
【図２】
0003225903.tif 000004
【図３】
0003225903.tif 000005
【図４】
0003225903.tif 000006
【図５】
0003225903.tif 000007